(57)【特許請求の範囲】
【請求項１】
月単位または週単位で日毎の予定等を記入するための予定記入欄が１頁または見開きの左右ページに記載された手帳において、前記予定記入欄には、罫線が所定間隔あけて複数掲載されるとともに、これら罫線間には、月単位または週単位の日毎の記入スペースが設けられ、この記入スペースの長さ方向一端側には、縦書き用日付部が設けられて、この縦書き用日付部には日付が縦書きで掲載され、また記入スペースの長さ方向他端側には、横書き用日付部が設けられて、この横書き日付部には、日付が縦書きで掲載されていることを特徴とする手帳。
【請求項２】
予定記入欄には、罫線に対して直交する補助罫線が所定間隔開けて複数掲載されていることを特徴とする請求項１に記載の手帳。
【発明の詳細な説明】
【技術分野】
【０００１】
本発明は、月単位または週単位で予定等を記入するための予定記入欄を備えた手帳に関する。
【背景技術】
【０００２】
一般に、手帳には月単位若しくは週単位で予定を記入するための予定記入欄が１頁または見開きの左右２頁に記載されている。（特許文献１参照）。
【０００３】
この予定記入欄は、例えば図９にも示すように、手帳Aの見開きの左右ページBに、横罫線Cが所定間隔開けて複数記載されて、隣接する横罫線C間に日毎の記入スペースDが設けられるとともに、各記入スペースDの長さ方向一方側には対応する日付Eが記入されている。
【０００４】
しかしながら図９に示す前記した手帳Aでは、予定記入欄に予定を記入するにしても、予定記入欄が文字を横書きに記入する体裁になっており、手帳を縦にして、文字を記入スペースDに縦書きで記入しようとすると、日付Eが横方向を向いてしまって、日を確認するのが難しくなるし、記入した文字と日付の姿勢が揃わなくなり、日付と記入された予定の関係を確認するのも困難となる。
【特許文献１】実用新案登録第３１３７２０１号
【発明の開示】
【発明が解決しようとする課題】
【０００５】
本発明は、以上の実情に鑑みて開発したものであって、目的とするところは、予定記入欄に文字を横書きでも縦書きでも手軽に記入可能な手帳を提供することにある。
【課題を解決するための手段】
【０００６】
以上の目的を達成するために、請求項１に記載の発明は、月単位または週単位で日毎の予定等を記入するための予定記入欄が１頁または見開きの左右ページに記載された手帳において、前記予定記入欄には、罫線が所定間隔あけて複数掲載されるとともに、これら罫線間には、月単位または週単位の日毎の記入スペースが設けられるとともに、この記入スペースの長さ方向一端側には、縦書き用日付部が設けられて、この縦書き用日付部には日付が縦書きで掲載され、また記入スペースの長さ方向他端側には、横書き用日付部が設けられて、この横書き日付部には、日付が縦書きで掲載されていることを特徴とする。
【０００７】
また請求項２に記載の発明は、請求項１に記載の手帳の予定記入欄には、罫線に対して直交する補助罫線が所定間隔開けて複数掲載されていることを特徴とする。
【発明の効果】
【０００８】
請求項１に記載の発明によれば、手帳を縦で用いるか若しくは横にして用いるかにより、予定記入欄６への記入が自由に縦書きでも横書きでも行なえ、しかも縦書きまたは横書きでの記入に際して、縦書き用日付部または横書き用日付部に掲載されている日付等も横に寝るようなことなく、記入形式と同じ姿勢で表示されるので、予定を記入する際に日付などが見易い。
【０００９】
また請求項２に記載の発明によれば、請求項１に記載の発明の効果に加え、罫線と補助罫線により、記入スペースが碁盤の目状に仕切られていることから、記入スペースに記入する文字を整然と等間隔で記入することが容易に出来、記入した予定も見易くなる。
【発明を実施するための最良の形態】
【００１０】
以下、本発明にかかる手帳の一実施形態を説明する。
【００１１】
図１は手帳の概略斜視図、図２は予定記入欄が掲載された頁を開いて示す説明図、図５は、予定記入欄への記入例を示す説明図、図６は、予定記入欄への別の記入例を示す説明図である。
【００１２】
そして図において符号１で示す手帳は、厚手の紙からなる表表紙２ａと裏表紙２ｂが備えられている。
【００１３】
また表表紙２ａと裏表紙２ｂの間には、既知の通り、図３に示す年間カレンダー表示欄４が掲載された紙葉３や、図４に示す日毎のメモ記入欄５が掲載された紙葉３に加えて、本発明にかかる予定記入欄６が掲載された紙葉３が綴られている。
【００１４】
前述の予定記入欄６は、見開きの左右２頁の紙葉３ａ・３ｂに掲載されているのであって、この予定記入欄６を次に詳説する。
【００１５】
図２に示す予定記入欄６は、見開きとした左右２頁の紙葉３ａ・３ｂに、手帳１の縦方向に延びる罫線７が所定間隔あけて多数平行に掲載されて、隣接する罫線７間に、月単位の日毎の記入スペース８が設けられている。
【００１６】
具体的には、見開きの左側の頁の紙葉３ａには１日から１５日までの日毎に区分した記入スペース８が設けられ、見開きの右側の頁の紙葉３ｂには１６日から３１日までの日毎に区分した記入スペース８が設けられている。
【００１７】
尚、図２では１月の予定記入欄６が示されている。
【００１８】
また罫線７に対して直交する補助罫線７０が所定間隔開けて多数掲載されて、記入スペース８が、罫線７と補助罫線７０とによりその長さ方向両端部を残して碁盤の目状に区切られている。
【００１９】
そして、この記入スペース８の長さ方向一端部、即ち図２に示す実施形態では、記入スペース８の上端部に縦書き用日付部９ａが設けられて、この縦書き用日付部９ａに、日付と曜日と六曜がそれぞれ縦書きで掲載されている。
【００２０】
また記入スペース８の長さ方向他端部、即ち図２に示す実施形態では、記入スペース８の下端部に、横書き用日付部９ｂが設けられて、この横書き日付部に９ｂには、日付と曜日がそれぞれ縦書きで掲載されている。
【００２１】
以上の構成からなる手帳により、予定記入欄６に縦書きで予定を記入したい場合には、図５に示すように、手帳１を縦にした状態で予定記入欄６を開いて、記入したい予定日付が掲載された記入スペース８に予定を適宜記入すればよい。
【００２２】
また予定記入欄６に予定を横書きで記入したい場合には、図７に示すように、手帳１を横にした状態で予定記入欄６を開いて、記入したい予定日付が掲載された記入スペース８に予定を適宜横書きで記入すればよい。
【００２３】
以上のように利用者の好みにより、予定記入欄６に予定を縦書きにでも横書きにでも自由に記入することが出来、しかも縦書きまたは横書きでの記入に際して、縦書き用日付部９ａまたは横書き用日付部９ｂに掲載されている日付等も横に寝るようなことなく、記入形式と同じ姿勢で表示されるので、予定を記入する際に日付などが見易い。
【００２４】
また図２のものでは、記入スペース８が碁盤目状に区切られているので、文字も等間隔で記入することが出来て、予定が見やすくなる。
【００２５】
以上の実施形態では、記入スペース８を罫線７と補助罫線７０とにより碁盤の目状に区切ったが、これに限定されるものではなく、例えば、図７に示すように、罫線７だけ掲載して、補助罫線７０を掲載しないものでもよい。
【００２６】
また図２や図７に示す予定記入欄６を備えた手帳では、図８にその記載例を示すように、各記入スペース８に対して、例えばオフィシャルの予定を縦書きで記入し、プライベートの予定を横書きで記入するような利用方法、即ち、オフィシャルの予定とプライベートの予定が一つの記入スペース８に並べて記載及び表示することも可能であり、
手帳を縦にするか横にするかで、一つの予定記入欄６でオフィシャルの予定とプライベートの予定を簡単に見わけることが出来る。
【００２７】
以上の実施形態では、予定記入欄６を見開きの左右２頁の紙葉３ａ・３ｂに掲載したが、これに限定されるものではなく、１頁のみに掲載してもよい。
【００２８】
また以上の実施形態では、月単位の日毎の記入スペース８を設けたが、週単位の日毎の記入スペースを設けてもよい。
【図面の簡単な説明】
【００２９】
【図１】本発明にかかる手帳の一実施形態を示す概略斜視図。
【図２】予定記入欄が掲載された頁を開いて示す説明図。
【図３】年間カレンダー表示欄が掲載された頁を開いて示す説明図。
【図４】日毎のメモ記入欄が掲載された頁を開いて示す説明図。
【図５】予定記入欄への縦書きによる記入例を示す説明図。
【図６】予定記入欄への横書きによる記入例を示す説明図。
【図７】予定記入欄の別の実施形態を示す説明図。
【図８】予定記入欄への縦書きと横書きによる記入例を示す説明図。
【図９】従来の手帳の予定記入欄が掲載された頁を開いて示す説明図。
【符号の説明】
【００３０】
１      手帳
２ａ    表表紙
２ｂ    裏表紙
３      紙葉
６      予定記入欄
７      罫線
７０    補助罫線
８      記入スペース
９ａ    縦書き用日付部
９ｂ    横書き用日付部
【図１】
0005017138.tif 000002
【図２】
0005017138.tif 000003
【図３】
0005017138.tif 000004
【図４】
0005017138.tif 000005
【図５】
0005017138.tif 000006
【図６】
0005017138.tif 000007
【図７】
0005017138.tif 000008
【図８】
0005017138.tif 000009
【図９】
0005017138.tif 000010